(57)【特許請求の範囲】
【請求項１】
患者における注射部位周りの皮膚の初期炎症反応を最小限に抑えるために本体部材と、
該本体部材から延在する針と、該針の末端を選択的に覆うためのシールドであって該本体部材の末端に対し移動可能とされるシールドと、を含むニードルアセンブリまたは医療用注射器と共に使用するための皮膚係合部材であって、
本体と、
前記針による注射中、前記患者の皮膚に係合するための前記本体に画定される表面と、
前記針の貫通路を得るように構成される前記本体の中に形成された開口部と、
前記開口部の回りに相対回転可能に前記本体を前記シールドに対し回転自在に取り付けるための回転自在な取付用要素であって、該本体が前記シールドに対し軸線方向に固定される回転自在な取付用要素と、
を含む皮膚係合部材。
【請求項２】
前記表面は、平坦である請求項１に記載の皮膚係合部材。
【請求項３】
前記開口部は、前記本体における中心に配置される請求項１に記載の皮膚係合部材。
【請求項４】
前記取付用要素は、前記ニードルアセンブリまたは前記医療用注射器に形成される穴にスナップ係合するように形成される少なくとも１つの突出するスナップフィンガを含む請求項１に記載の皮膚係合部材。
【請求項５】
前記シールドは、前記本体部材に対し回転自在に変位可能である請求項１に記載の皮膚係合部材。
【請求項６】
前記針は、前記開口部を貫通する請求項１に記載の皮膚係合部材。
【請求項７】
前記シールドは、前記本体部材に対し軸方向に変位可能である請求項１に記載の皮膚係合部材。
【請求項８】
前記シールドは、該シールドを移動させるための駆動力を発生させるための駆動要素を含む請求項１に記載の皮膚係合部材。
【請求項９】
前記駆動要素は、ばねからなる請求項８に記載の皮膚係合部材。
【請求項１０】
本体部材と、該本体部材から延在する針と、該針の末端を選択的に覆うために該本体部材の末端に対し移動可能とされるシールドと、を含むニードルアセンブリまたは医療用注射器と共に使用するための皮膚係合部材であって、
前記針による注射中、患者の皮膚に係合するための係合面を有し、前記針の貫通路を得るように構成される前記本体の中に形成された開口部を有する本体と、
前記開口部の回りに相対回転可能に前記本体を前記シールドに対し回転自在に取り付けるための回転自在な取付用要素であって、該本体が前記シールドに対し軸線方向に固定される回転可能な取付用要素と、
を含む皮膚係合部材。
【発明の詳細な説明】
【技術分野】
【０００１】
本発明は、注射中の患者の注射部位周りの皮膚の初期炎症反応を最小限に抑えるためにニードルアセンブリまたは医療用注射器と共に使用する皮膚係合部材に関する。
【背景技術】
【０００２】
注射中に患者の皮膚に係合する特定の医療用注射器が知られている。例えば、ペン型注射器は、典型的には、注射針を確実に適切に挿入するように患者の皮膚を押圧する。患者の皮膚は、適切な注射深さを確保し、および／または、注射中の安定性をもたらす止め具として働くことができる。
【０００３】
患者の皮膚に係合する場合、患者の注射部位周りの皮膚が、それに接した相対的な動きによって初期炎症反応を起こすことがある。例えば、特定の針シールドは、注射中に受動的に作動して、患者の皮膚に接して回転自在に変位する。注射後に針を引き抜く際には、作動した針シールドは、シールド位置にある。しかし、患者の皮膚に当たってシールドが回転すると、不快にさせるか、または、初期炎症反応を引き起こすことがある。
【発明の概要】
【課題を解決するための手段】
【０００４】
本明細書で皮膚係合部材が、ニードルアセンブリまたは医療用注射器の針による注射中、患者の注射部位周りの皮膚の初期炎症反応を最小限に抑えるためにそのニードルアセンブリまたは医療用注射器と共に使用に供せられる。皮膚係合部材は、本体と、針による注射中、患者の皮膚に係合するための本体に画定される表面と、針の貫通路を得るように構成される本体の中に形成された開口部と、患者の皮膚に係合しながら、表面が、開口部の回りに回転自在であるように、本体をニードルアセンブリまたは医療用注射器に回転自在に取り付けるための回転可能な取付用要素と、を含む。有利なことには、主題発明に関して、皮膚係合部材は、患者の皮膚と係合するように配置することができ、注射中、加えられる圧力のせいで、皮膚係合部材の回りに注射器を回転させることができる状態で、皮膚に当たって概して固定された位置に保持することができる。従って、患者における注射部位周りの皮膚の初期炎症反応が、最小限に抑えられ得る。
【０００５】
以下の詳細な説明および添付の図面の検討によって、本発明のこれらおよび他の特徴がより良く理解されるであろう。
【図面の簡単な説明】
【０００６】
【図１】主題発明に従って形成されたニードルアセンブリの斜視図である。
【図２】主題発明に従って形成された医療用注射器の部分斜視図である。
【図３】シールドと共に使用中の主題発明を示す側面図である。
【図４】図３の４−４線に沿った断面図である。
【発明を実施するための形態】
【０００７】
複数の図を参照すると、皮膚係合部材が、示されており、全体を参照番号１０で表されている。皮膚係合部材１０は、ニードルアセンブリ１２または医療用注射器１４の針による注射中、患者の注射部位周りの皮膚の初期炎症反応を最小限に抑えるようにニードルアセンブリ１２または医療用注射器１４と共に使用することができる。皮膚係合部材１０は、全体として、本体１６と、注射中、患者の皮膚に係合するための本体１６に画定される表面１８と、その針の貫通路を得るように構成された本体１６の中に形成される開口部２０と、表面１８が開口部２０の回りに回転自在であるように本体１６をニードルアセンブリ１２または医療用注射器１４に回転自在に取り付けるための回転可能な取付用要素２２と、を含む。
【０００８】
本体１６の回転可能性のために、皮膚係合部材１０は、注射中の患者の注射部位周りの皮膚の初期炎症反応を最小限に抑えるように作動し得る。
【０００９】
当業者には理解されるように、ニードルアセンブリ１２は、いかなる既知の構成のものであってもよい。非限定的な例として、ニードルアセンブリ１２は、患者に刺すために形成される末端２８を有する針２６に取付けられるハブ２４を含み得る。ハブ２４は、ペン型注射器のような注射器に取り付けるための複数の要素を含むことができる。本体１６は、ハブ２４に回転自在に取り付け可能とされる。さらに、針２６は、末端２８に触れるように開口部２０を貫通する。針２６の十分な長さは、注射のための適切な深さを可能にするように露出されることが好ましい。さらに、表面１８は、ハブ２４から離れる針２６の末端２８と同じ方向に概して向くように形成される。図１に略図的に示されるように、表面１８は、開口部２０の回りに回転自在であるように形成され、したがって、本体１６が針２６の回りに回転自在にできるように形成される。針２６の基端３０は、必要に応じて特定の用途に合うように形成され得る。
【００１０】
医療用注射器１４は、いかなる既知のタイプのものでよい。医療用注射器１４は、患者に刺すために形成された末端３６を有する針３４が延在するバレル３２を含み得る。本体１６は、直接的または間接的にバレル３２に回転自在に取り付けられ得る。例えば、本体１６は、ニードルアセンブリ１２に取り付けられ、そしてまた、ニードルアセンブリ１２をバレル３２に取り付けることによって、バレル３２に間接的に取り付けられ得る。ニードルアセンブリ１２と同様に、針３４は、好ましくは適切な注射深さのための十分な長さを有するように、本体１６から、特に、表面１８から末端方向に延びる。表面１８は、好ましくは、概して、バレル３２から離れる末端３６と同じ方向に向く。図２に略図的に示されるように、表面１８は、開口部２０の回りに回転するように構成され、したがって、本体１６が、針３４の回りに回転できる。
【００１１】
注射中、皮膚係合部材１０は、患者の皮膚に接触せしめられ得る。皮膚係合部材１０は、適切な注射深さを確保し、および／または、注射中、安定性をもたらす止め具として作動できる。この構成により、表面１８は、患者の皮膚と接触するだろう。針２６、３４が適切な注射深さにある状態で、注射が、当技術分野で知られているように施され得る。注射中、圧力が表面１８に加えられる状態で、ニードルアセンブリ１２、または、医療用注射器１４における相対的な移動、即ち、変位が、本体１６が患者の皮膚に対して概して固定して保持された状態で、本体１６に対する回転という結果になり得る。本体１６が概して固定されて保持される状態で、患者の皮膚の初期炎症反応は、注射部位周りで最小限に抑えられることができる。
【００１２】
本体１６は、様々な形状および寸法を有して形成することができるが、好ましくは、円盤形状である。表面１８は、好ましくは、患者の皮膚に対する安定した静止面を画定するように形成される。好ましくは、表面１８は、平坦である。開口部２０が、回転中心軸線をもたらすように本体１６の中心に配置されることも好ましい。
【００１３】
回転可能な取付用要素２２は、本体１６とニードルアセンブリ１２または医療用注射器１４との間の相対的な回転が可能となるように、本体１６をニードルアセンブリ１２または医療用注射器１４に固定するためのいかなる既知の構成のものであってもよい。非限定的な例として、図４を参照すると、取付け穴３８が、ニードルアセンブリ１２（例えば、ハブ２４）または医療用注射器１４に形成され、本体１６から突出する１つ以上のスナップフィンガ４０と協働するように形成され得る。スナップフィンガ４０は、相対的な回転が可能な状態で取付け穴３８に関連して軸線方向に固定されるように、取付け穴３８に係合するように形成される。当業者に理解されるように、回転自在の取付けにおける他の形態が、主題発明と共に利用可能である。
【００１４】
ニードルアセンブリ１２または医療用注射器１４は、針２６、３４の末端２８、３６を選択的にカバーするためのシールド４２を備えることができる。当業者には理解されるように、シールド４２は、主題発明と合うように構成され得る。非限定的な例として、シールド４２は、ニードルアセンブリ１２または医療用注射器１４の長さに沿って軸線方向に変位可能であるように形成され、例えば、ハブ２４またはバレル３２に対して軸線方向に変位可能であるように形成され得る。ばね４４、または、他の駆動要素が、シールド４２を選択的に変位させるための駆動力を発生するために設けられ得る。本体１６は、上述と同様な方法でシールド４２に回転自在に取り付けられ得る。
【００１５】
シールド４２は、使用中、回転自在に変位可能であってもよい。例えば、注射中、シールド４２は、例えば、作動させるためにハブ２４またはバレル３２に対して回転せしめられる。本体１６は、患者の皮膚に加えられるそのような回動なしにシールド４２の回転を可能にする。逆に、シールド４２は、本体１６が患者の皮膚に対して概して固定されて保持される状態で、本体１６に対して回転せしめられ得る。
【図１】
0005961352.tif 000002
【図２】
0005961352.tif 000003
【図３】
0005961352.tif 000004
【図４】
0005961352.tif 000005